(57)【特許請求の範囲】
【請求項１】
荷室の側方を区画する側方面体と前記荷室の上方を区画する天井面体とを結合する車両の荷室上側部の結合構造であって、
前記側方面体の上縁部に固定されて前後方向に延びる金属製の側面上縁部材と、
前記天井面体の車幅方向の外縁部に固定されて前後方向に延びる金属製の天井外縁部材と、
前記側面上縁部材と前記天井外縁部材とを締結固定するための締結部材と、
弾性を有する棒体状のシール部材と、を備え、
前記側面上縁部材には、上縁係合部と上縁嵌合部と上縁締結部とが一体形成され、
前記天井外縁部材には、外縁係合部と外縁嵌合部と外縁締結部とが一体形成され、
前記上縁係合部と前記外縁係合部とは、前記側方面体と前記天井面体とが鈍角に交叉する非嵌合位置で係脱可能であり、前記非嵌合位置での係合状態を維持したまま、前記側方面体と前記天井面体とが略直角に交叉する嵌合位置と前記非嵌合位置との間で、前記上縁係合部及び前記外縁係合部を略中心とした前記側方面体と前記天井面体との相対回転を許容し、
前記上縁嵌合部及び前記外縁嵌合部の一方は、嵌合突起を有する板形状であり、
前記上縁嵌合部及び前記外縁嵌合部の他方は、先端側の突起当接面と基端側の嵌合凹部とを有する板形状であり、
前記上縁嵌合部と前記外縁嵌合部とは、前記非嵌合位置から前記嵌合位置への前記側方面体と前記天井面体との相対回転に応じて、前記嵌合突起が前記突起当接面に当接し、前記突起当接面上の前記嵌合突起の摺動に伴って前記上縁嵌合部及び前記外縁嵌合部の少なくとも一方が撓み変形し、前記嵌合位置で前記嵌合突起が前記嵌合凹部に係合して前記上縁嵌合部と前記外縁嵌合部とが嵌合するように形成され、
前記上縁係合部及び前記外縁係合部の一方は、車幅方向へ突出して湾曲する係合突起と、前記係合突起の上面に形成されるＬ状の支持溝と、前記係合突起の下方に形成される収容凹部とを有し、
前記上縁係合部及び前記外縁係合部の他方は、前記支持溝に載置されて前記側方面体と前記天井面体との前記相対回転の中心となる回転軸突起と、前記回転軸突起の下方で前記係合突起に合わせた湾曲形状に形成される係合凹部と、前記回転軸突起と対向して延びて前記回転軸突起との間に前記係合凹部を形成する押圧突起とを有し、
前記係合突起及び前記係合凹部の湾曲形状は、前記支持溝に載置された前記回転軸突起を中心とする前記非嵌合位置から前記嵌合位置への前記側方面体と前記天井面体との嵌合方向への相対回転に伴い、前記係合突起が前記係合凹部に進入するように形成され、
前記押圧突起及び前記収容凹部は、前記側方面体と前記天井面体との前記嵌合方向への相対回転に伴い、前記押圧突起が前記収容凹部に進入するように形成され、
前記係合突起が前記係合凹部に進入することにより、前記上縁係合部と前記外縁係合部とが前記係合状態となり、
前記シール部材は、前記収容凹部の底部に収容され、前記上縁嵌合部と前記外縁嵌合部とが嵌合する際に、前記収容凹部に進入する前記押圧突起に押圧されて弾性変形して、前記嵌合方向と反対の方向に作用する弾性力を前記押圧突起に付与し、
前記上縁嵌合部と前記外縁嵌合部とが嵌合した嵌合状態において、変形した前記シール部材は、前記収容凹部を密閉し、且つ変形した前記シール部材の弾性力は、嵌合した前記上縁嵌合部と前記外縁嵌合部との相対移動を抑制し、
前記上縁締結部と前記外縁締結部とは、前記上縁嵌合部と前記外縁嵌合部とが嵌合した前記嵌合状態において、重なった状態で前記締結部材によって締結固定される
ことを特徴とする車両の荷室上側部の結合構造。
【請求項２】
請求項１に記載の結合構造であって、
前記外縁締結部は、前記天井面体の下面に沿って車幅方向内側へ延び、
前記上縁締結部は、前記嵌合状態で前記外縁締結部の下側に重なって車幅方向内側へ延び、
前記外縁締結部は、前記嵌合状態で前記上縁締結部よりも車幅方向内側へ延びる先端部を有する
ことを特徴とする車両の荷室上側部の結合構造。
【発明の詳細な説明】
【技術分野】
【０００１】
本発明は、荷室の側方を区画する側方面体と荷室の上方を区画する天井面体とを結合する車両の荷室上側部の結合構造に関する。
【背景技術】
【０００２】
特許文献１には、長尺の押出型材である隅部材を介して、水平パネル部の外側端部に垂直パネル部が結合されるウイング式バン型車両の屋根パネル隅部の結合構造が記載されている。
【先行技術文献】
【特許文献】
【０００３】
【特許文献１】特開平８−１２７２４５号公報
【発明の概要】
【発明が解決しようとする課題】
【０００４】
上記従来の水平パネル部と垂直パネル部との結合構造では、水平パネル部（天井面体）の車幅方向の外端縁に外側側枠（天井外縁部材）を固定し、垂直パネル部（側方面体）の上端縁に隅部材（側面上縁部材）を固定し、外側側枠の上部と隅部材の上部とを相互に凹凸嵌合させた状態で、外側側枠の下部と隅部材の下部とをボルトによって締結固定する。
【０００５】
しかし、単なる凹凸嵌合では、部材の寸法誤差等の理由により常に安定した嵌合状態（がたつきが生じない嵌合状態）を再現することが難しく、ボルト締結後の嵌合部分に隙間が生じ易い。このため、嵌合部分から荷室内への浸水を防ぐための強固な防水処理が必要となる。
【０００６】
本発明は、上記実状に鑑み、天井外縁部材と側面上縁部材との嵌合状態を確実に安定させて、天井外縁部材と側面上縁部材とを締結固定した後の嵌合部分における隙間の発生を抑制することが可能な結合構造の提供を目的とする。
【課題を解決するための手段】
【０００７】
上記目的を達成するため、本発明の第１の態様は、荷室の側方を区画する側方面体と荷室の上方を区画する天井面体とを結合する車両の荷室上側部の結合構造であって、側方面体の上縁部に固定されて前後方向に延びる金属製の側面上縁部材と、天井面体の車幅方向の外縁部に固定されて前後方向に延びる金属製の天井外縁部材と、側面上縁部材と天井外縁部材とを締結固定するための締結部材と、弾性を有する棒体状のシール部材と、を備える。
【０００８】
側面上縁部材には、上縁係合部と上縁嵌合部と上縁締結部とが一体形成され、天井外縁部材には、外縁係合部と外縁嵌合部と外縁締結部とが一体形成される。上縁係合部と外縁係合部とは、側方面体と天井面体とが鈍角に交叉する非嵌合位置で係脱可能であり、非嵌合位置での係合状態を維持したまま、側方面体と天井面体とが略直角に交叉する嵌合位置と上記非嵌合位置との間で、上縁係合部及び外縁係合部を略中心とした側方面体と天井面体との相対回転を許容する。
【０００９】
上縁嵌合部及び外縁嵌合部の一方は、嵌合突起を有する板形状であり、上縁嵌合部及び外縁嵌合部の他方は、先端側の突起当接面と基端側の嵌合凹部とを有する板形状である。上縁嵌合部と外縁嵌合部とは、非嵌合位置から嵌合位置への側方面体と天井面体との相対回転に応じて、嵌合突起が突起当接面に当接し、突起当接面上の嵌合突起の摺動に伴って上縁嵌合部及び外縁嵌合部の少なくとも一方が撓み変形し、嵌合位置で嵌合突起が嵌合凹部に係合して上縁嵌合部と外縁嵌合部とが嵌合するように形成される。
上縁係合部及び外縁係合部の一方は、車幅方向へ突出して湾曲する係合突起と、係合突起の上面に形成されるＬ状の支持溝と、係合突起の下方に形成される収容凹部とを有し、上縁係合部及び外縁係合部の他方は、支持溝に載置されて側方面体と天井面体との相対回転の中心となる回転軸突起と、回転軸突起の下方で係合突起に合わせた湾曲形状に形成される係合凹部と、回転軸突起と対向して延びて回転軸突起との間に係合凹部を形成する押圧突起とを有する。係合突起及び係合凹部の湾曲形状は、支持溝に載置された回転軸突起を中心とする非嵌合位置から嵌合位置への側方面体と天井面体との嵌合方向への相対回転に伴い、係合突起が係合凹部に進入するように形成され、係合突起が係合凹部に進入することにより、上縁係合部と外縁係合部とが係合状態となる。
【００１０】
シール部材は、収容凹部の底部に収容され、上縁嵌合部と外縁嵌合部とが嵌合する際に、収容凹部に進入する押圧突起に押圧されて弾性変形して、嵌合方向と反対の方向に作用する弾性力を押圧突起に付与する。上縁嵌合部と外縁嵌合部とが嵌合した嵌合状態において、変形したシール部材は、収容凹部を密閉し、且つ変形したシール部材の弾性力は、嵌合した上縁嵌合部と外縁嵌合部との相対移動を抑制する。上縁締結部と外縁締結部とは、上縁嵌合部と外縁嵌合部とが嵌合した嵌合状態において、重なった状態で締結部材によって締結固定される。
【００１１】
上記構成では、側方面体と天井面体とを結合する場合、作業者は、非嵌合位置で上縁係合部と外縁係合部とを係合し、側方面体と天井面体とを嵌合位置へ相対回転させることによって上縁嵌合部と外縁嵌合部とを嵌合させた後、上縁締結部と外縁締結部とを締結固定する。このとき、上縁嵌合部と外縁嵌合部とは、少なくとも一方が僅かに撓み変形して嵌合するので、部材の寸法誤差や組み付け誤差等が存在する場合であっても、嵌合状態が確実に安定し、上縁締結部と外縁締結部とを締結固定した後に嵌合部分にがたつきが発生し難く、嵌合部分での隙間の発生を抑制することができる。このため、嵌合部分から荷室内への浸水を防ぐための防水処理を簡素化又は省略することができる。
【００１２】
作業者は、非嵌合位置で上縁係合部と外縁係合部とを係合し、側方面体と天井面体とを嵌合位置へ相対回転させるだけで上縁嵌合部と外縁嵌合部とを嵌合させることができる。また、上縁嵌合部と外縁嵌合部とは、突起当接面上の嵌合突起の摺動に伴って上縁嵌合部及び外縁嵌合部の少なくとも一方が撓み変形した状態で、嵌合突起が嵌合凹部に係合することによって嵌合するので、作業者は嵌合完了時に適度な節度感を得ることができる。このため、簡単な作業によって確実に上縁嵌合部と外縁嵌合部とを嵌合させて、側方面体と天井面体とを結合することができる。
【００１４】
さらに、嵌合状態では、シール部材が弾性変形して収容凹部を密閉するので、上縁係合部と外縁係合部との係合部分から荷室内への浸水を防止することができる。また、変形したシール部材の弾性力は、嵌合した上縁嵌合部と外縁嵌合部との相対移動を抑制するので、嵌合状態がさらに安定する。
【００１５】
本発明の第３の態様は、第１又は第２の態様の結合構造であって、外縁締結部は、天井面体の下面に沿って車幅方向内側へ延び、上縁締結部は、嵌合状態で外縁締結部の下側に重なって車幅方向内側へ延びる。外縁締結部は、嵌合状態で上縁締結部よりも車幅方向内側へ延びる先端部を有する。
【００１６】
上記構成では、天井面体の下面に板材等の内装パネルを張り付ける場合、作業者は、内装パネルの車幅方向の外縁部を外縁締結部の先端部に下方から重ねて天井面体に内装パネルを張り付ける。外縁締結部の先端部は、側方面体と天井面体とを結合した後も外部に露出するので、結合の前後の何れにおいても天井面体に内装パネルを張り付けることができる。また、結合前の天井面体に内装パネルを張り付けることにより、結合後に内装パネルを張り付ける場合に比べて容易に張り付け作業を行うことができる。
【発明の効果】
【００１７】
本発明によれば、天井外縁部材と側面上縁部材との嵌合状態を確実に安定させて、天井外縁部材と側面上縁部材とを締結固定した後の嵌合部分における隙間の発生を抑制することができる。
【図面の簡単な説明】
【００１８】
【図１】本発明の一実施形態の荷台を備えたキャブオーバートラックを模式的に示す斜視図である。
【図２】図１の荷台を前斜め下方から視た外観斜視図である。
【図３】図２の荷室の前端内側を後斜め下方から視た斜視図である。
【図４】図２の荷室の前端外側を前斜め上方から視た斜視図である。
【図５】センターフレームとルーフレールインナとの連結構造を示す断面図である。
【図６】ルーフレールインナの断面図である。
【図７】ルーフレールインナの斜視図である。
【図８】レールアッパサイドとルーフレールアウタとの結合構造を示す断面図である。
【図９】レールアッパサイドとルーフレールアウタとを結合する工程を示す断面図であり、（ａ）は結合前のルーフレールアウタを、（ｂ）は嵌合前のレールアッパサイド及びルーフレールアウタを、（ｃ）は結合後のレールアッパサイド及びルーフレールアウタをそれぞれ示す。
【図１０】レールアッパサイドとルーフレールアウタとを嵌合する工程を示す断面図であり、（ａ）は嵌合前の状態を、（ｂ）は嵌合途中の状態を、（ｃ）は嵌合後の状態をそれぞれ示す。
【発明を実施するための形態】
【００１９】
以下、本発明の一実施形態を図面に基づいて説明する。各図において、ＦＲは車両前方を、ＵＰはウイングを閉じた状態での上方を、ＩＮは車幅方向内側をそれぞれ示す。また、特に説明していない場合、左右方向は車両前方を向いた状態での左右方向を示す。
【００２０】
図１に示すように、キャブオーバートラックのウイング屋根式の荷台１は、床２と前壁３と後壁４とセンターフレーム５と左右一対のウイング６，６と左右一対の煽り７，７等から構成されている。
【００２１】
前壁３は、車体フレームに固定される矩形枠状の前フレーム８と、周縁部が前フレーム８に固定される前パネル１９とを備え、車両のキャブ２０の後面２０ａに対向配置されて荷室２１の前方を区画する。前フレーム８は、荷台１の前部の左右に立設された一対の前支柱９，９と、車幅方向に沿って配置されて左右の前支柱９，９の上端同士を連結するフロントアッパクロスフレーム１０とを有する。
【００２２】
後壁４は、車体フレームに固定される矩形枠状の後フレーム１１と、後フレーム１１に回転自在に支持されて荷台１の後方を開閉する左右の開閉扉１２，１２とを有し、荷室２１の後方を区画する。後フレーム１１は、荷台１の後部の左右に立設された一対の後支柱１３，１３と、車幅方向に沿って配置されて左右の後支柱１３，１３の上端同士を連結するリヤアッパクロスフレーム１４とを有する。センターフレーム５は、前後方向に沿って配置され、フロントアッパクロスフレーム１０の左右のほぼ中央とリヤアッパクロスフレーム１４の左右のほぼ中央とを連結する。
【００２３】
各ウイング６は、荷室２１の上方を区画する天井面体１７と、天井面体１７の車幅方向外側の端縁から下方へ略垂直に延びて荷室２１の側方上部を区画する側方面体１８とを備えた略Ｌ状断面を有する。左右のウイング６，６は、センターフレーム５の左右両側に配置され、各ウイング６の天井面体１７の車幅方向内側の端縁部（後述するルーフレールインナ３０、図５参照）がセンターフレーム５に回転自在に支持され、センターフレーム５を中心として左右対称に構成されている。フロントアッパクロスフレーム１０及びリヤアッパクロスフレーム１４と各ウイング６との間には、それぞれ開閉用油圧シリンダ１６（図１には後方のみ図示）が設けられ、開閉用油圧シリンダ１６によって左右のウイング６，６が閉止位置と開放位置との間で開閉駆動される。走行時などの通常時は、各ウイング６を閉止位置に設定して荷室２１を閉じ、フォークリフトなどによって荷室２１の側方から荷役作業を行う場合は、各ウイング６を開放位置に設定して荷室２１の側方を開く。
【００２４】
図２〜図４に示すように、天井面体１７は、ルーフレールインナ（天井内縁部材）３０、ルーフレールアウタ（天井外縁部材）３１、ルーフレールフロント（天井端縁部材）３２、ルーフレールリヤ（天井端縁部材、図１参照）３３、複数のクロスルーフフレーム３４、及び複数のルーフシート（天井パネル）３５等から構成される。
【００２５】
ルーフレールインナ３０、ルーフレールアウタ３１、ルーフレールフロント３２、ルーフレールリヤ３３、クロスルーフフレーム３４、及び上記センターフレーム５は、押出型に応じた断面形状が長手方向に連続するアルミ合金製の長尺の押出型材である。ルーフシート３５は、アルミ合金製の平板状のパネル材である。
【００２６】
ルーフレールインナ３０及びルーフレールアウタ３１は、天井面体１７の車幅方向の内縁部及び外縁部にそれぞれ固定されて前後方向に延びる。ルーフレールフロント３２及びルーフレールリヤ３３は、天井面体１７の前方及び後方の端縁部にそれぞれ固定されて車幅方向に延びる。ルーフレールフロント３２の両端部は、ルーフレールインナ３０の前端部及びルーフレールアウタ３１の前端部にそれぞれ結合され、ルーフレールリヤ３３の両端部は、ルーフレールインナ３０の後端部及びルーフレールアウタ３１の後端部にそれぞれ結合され、ルーフレールインナ３０とルーフレールアウタ３１とルーフレールフロント３２とルーフレールリヤ３３とは、矩形状のルーフ枠体を形成する。複数のクロスルーフフレーム３４は、ルーフ枠体の内側を複数の同形状の矩形領域に分割するように前後方向に沿って略等間隔に並列配置され、各クロスルーフフレーム３４の両端は、ルーフレールインナ３０及びルーフレールアウタ３１にそれぞれ結合される。複数（矩形領域と同数）のルーフシート３５の各々は、ルーフ枠体の各矩形領域よりも僅かに大きい矩形板形状であり、車幅方向の内端縁部がルーフレールインナ３０の上面に、外側端縁がルーフレールアウタ３１の上面に、前端縁部がルーフレールフロント３２又はクロスルーフフレーム３４の上面に、後端縁部がクロスルーフフレーム３４又はルーフレールリヤ３３の上面にそれぞれ結合される。複数のルーフシート３５は、複数の矩形領域をそれぞれ閉止して、全体として天井面体１７の外面（上面）を構成する。天井面体１７の内面（下面）には、木製の内装パネル３６（図５参照）が固定される。
【００２７】
側方面体１８は、レールアッパサイド（側面上縁部材）４０、レールロアサイド（側面下縁部材）４１、ポストサイドフロント（側面端縁部材）４２、ポストサイドリヤ（側面端縁部材、図１参照）４３、複数のクロスサイドフレーム４４、及び複数のサイドシート（側面パネル）４５等から構成される。レールアッパサイド４０がルーフレールアウタ３１に結合されることによって、天井面体１７と側方面体１８とが略Ｌ状断面のウイング６を形成する。
【００２８】
レールアッパサイド４０とレールロアサイド４１とポストサイドフロント４２とポストサイドリヤ４３とクロスサイドフレーム４４とは、押出型に応じた断面形状が長手方向に連続するアルミ合金製の長尺の押出型材である。サイドシート４５は、アルミ合金製の平板状又は波板状のパネル材である。
【００２９】
レールアッパサイド４０及びレールロアサイド４１は、側方面体１８の上縁部及び下縁部にそれぞれ固定されて前後方向に延びる。ポストサイドフロント４２及びポストサイドリヤ４３は、側方面体１８の前方及び後方の端縁部にそれぞれ固定されて上下方向に延びる。ポストサイドフロント４２の両端部は、レールアッパサイド４０の前端部及びレールロアサイド４１の前端部にそれぞれ結合され、ポストサイドリヤ４３の両端部は、レールアッパサイド４０の後端部及びレールロアサイド４１の後端部にそれぞれ結合され、レールアッパサイド４０とレールロアサイド４１とポストサイドフロント４２とポストサイドリヤ４３とは、矩形状のサイド枠体を形成する。複数のクロスサイドフレーム４４は、サイド枠体の内側を複数の同形状の矩形領域に分割するように前後方向に沿って略等間隔に並列配置され、各クロスサイドフレーム４４の両端は、レールアッパサイド４０及びレールロアサイド４１にそれぞれ結合される。クロスルーフフレーム３４とクロスサイドフレーム４４とは同数であり、天井面体１７から側方面体１８に亘って連続するように前後方向において略同位置に配置される。複数（矩形領域と同数）のサイドシート４５の各々は、サイド枠体の各矩形領域よりも僅かに大きい矩形板形状であり、上端縁部がレールアッパサイド４０の外面に、下端縁部がレールロアサイド４１の外面に、前端縁部がポストサイドフロント４２又はクロスサイドフレーム４４の外面に、後端縁部がクロスサイドフレーム４４又はポストサイドリヤ４３の外面にそれぞれ結合される。複数のサイドシート４５は、複数の矩形領域をそれぞれ閉止して、全体として側方面体１８の外面（側面）を構成する。
【００３０】
図５に示すように、左右のウイング６，６の各ルーフレールインナ３０は、ヒンジ部材２２を介してセンターフレーム５に回転自在に支持される。左右のルーフレールインナ３０，３０の車幅方向の内縁部の上方のルーフシート３５，３５には、キャンバスシート２３の車幅方向の外縁部が固着されている。キャンバスシート２３は、軟質樹脂製のシート材であり、センターフレーム５の略全域において、センターフレーム５の上面及びセンターフレーム５とルーフレールインナ３０との間隙を上方から覆う。キャンバスシート２３の外縁部は、その下面を両面接着テープ２４によってルーフシート３５の上面に貼着し、その上方から防水テープ２５を貼着することによってルーフシート３５に固着される。このようにキャンバスシート２３を両面接着テープ２４と防水テープ２５とによって固着するので、構造の簡素化及び作業の簡易化を図ることができる。
【００３１】
図６及び図７に示すように、ルーフレールインナ３０は、車幅方向外側に開口するＵ状断面であり、クロスルーフフレーム３４の車幅方向の内端部は、Ｕ状断面の内側に挿入されてルーフレールインナ３０に結合される。ルーフレールインナ３０の下面部には、上方に開口するＵ状のハーネス収容部３７が形成され、ハーネス収容部３７の内側に荷室の照明用などのハーネス２６が配索される。ハーネス収容部３７の車幅方向外側にはパネル支持片３８が突設され、パネル支持片３８は、クロスルーフフレーム３４の下面に固定される内装パネル３６の車幅方向の内縁部を下方から支持する。このように、ハーネス収容部３７の内側にハーネス２６を配策するので、ハーネス２６を配策するための孔を形成する必要やクリップ等を別途設ける必要が無く、構造の簡素化及び配索作業の簡易化を図ることができる。
【００３２】
次に、天井面体１７のルーフレールアウタ３１と側方面体１８のレールアッパサイド４０との結合構造について説明する。
【００３３】
図８に示すように、レールアッパサイド４０には、サイドフレーム結合部７０と、コーナ形成部７１と、ルーフレール連結部７２とが一体的に形成されている。
【００３４】
サイドフレーム結合部７０は、下方に開口するＵ状断面であり、サイドフレーム結合上面部（Ｕ状断面の底面部）７３と、サイドフレーム結合上面部７３の車幅方向の外縁部から下方へ延びるサイドフレーム結合外面部７４と、サイドフレーム結合上面部７３の車幅方向の内縁部から下方へ延びてサイドフレーム結合外面部７４と対向するサイドフレーム結合内面部７５とを有する。クロスサイドフレーム４４の上端部は、サイドフレーム結合外面部７４とサイドフレーム結合内面部７５との間（Ｕ状断面の内側）に挿入されてサイドフレーム結合部７０に結合される。
【００３５】
コーナ形成部７１は、サイドフレーム結合外面部７４から車幅方向内側上方に湾曲して延びるコーナ形成外面部７６と、サイドフレーム結合内面部７５から車幅方向内側上方に湾曲する短いコーナ形成内面部７７とを有し、ウイング６のＬ状断面のコーナ部分を形成する。コーナ形成外面部７６の上縁部とコーナ形成内面部７７の上縁部とは、上下方向に起立する隔壁７８によって連結され、コーナ形成外面部７６とコーナ形成内面部７７と隔壁７８とサイドフレーム結合上面部７３とは、三角形に近い台形状の閉断面７９を形成する。
【００３６】
ルーフレール連結部７２は、隔壁７８の上縁部から車幅方向内側へ延びるレール連結上面部８０と、隔壁７８の下縁部から車幅方向内側へ延びるレール連結下面部８１と、レール連結下面部８１の車幅方向の内縁部からレール連結下面部８１に対して略垂直上方へ起立してレール連結上面部８０の車幅方向の内縁部に連続するレール連結側面部８２と、レール連結側面部８２の下縁部（レール連結下面部８１の内縁部）から車幅方向内側へ延びるフランジ状の上縁締結部８３とを有し、レール連結上面部８０とレール連結下面部８１とレール連結側面部８２と隔壁７８とは、矩形状の閉断面８４を形成する。
【００３７】
レール連結上面部８０の車幅方向の外縁部は、コーナ形成外面部７６の上縁部に連続するように起立する壁形状であり、レール連結上面部８０の外縁部には上縁係合部８５が形成されている。レール連結上面部８０の車幅方向の内縁部は、下方に曲折してさらに車幅方向内側に曲折してレール連結側面部８２に連続するＬ形状であり、レール連結上面部８０の内縁部には上縁嵌合部８６が形成されている。
【００３８】
上縁係合部８５は、レール連結上面部８０の外縁部から車幅方向内側に向かって斜め上方へ僅かに湾曲して突出する係合突起８７と、係合突起８７の上面に形成される湾曲Ｌ状の支持溝８８と、係合突起８７の下面とレール連結上面部８０の上面との間に形成される収容凹部８９とを有する。
【００３９】
上縁嵌合部８６は、レール連結側面部８２の上縁部の近傍から上方へ延びる板形状である。上縁嵌合部８６の車幅方向外側の側面の先端側には突起当接面９０が、基端側（突起当接面９０の下方）には嵌合凹部９１がそれぞれ形成されている。上縁嵌合部８６は、レール連結下面部８１の垂直方向に対し基端側から先端側に向かって車幅方向内側に傾斜する。上縁嵌合部８６の車幅方向内側の側面の基端側には、上縁嵌合部８６の先端側を車幅方向内側へ撓み変形し易くさせる円弧状凹部９２が形成されている。
【００４０】
上縁係合部８５の収容凹部８９の底部には、レールアッパサイド４０の前後方向のほぼ全域に亘り、弾性を有する棒体状のガスケット（シール部材）９３が収容される。
【００４１】
ルーフレールアウタ３１には、ルーフフレーム結合部５０と、サイドレール連結部５１とが一体的に形成されている。
【００４２】
ルーフフレーム結合部５０は、車幅方向内側に開口するＵ状断面であり、ルーフフレーム結合側面部（Ｕ状断面の底面部）５２と、ルーフフレーム結合側面部５２の上縁部から車幅方向内側へ延びるルーフフレーム結合上面部５３と、ルーフフレーム結合側面部５２の下縁部から車幅方向内側へ延びてルーフフレーム結合上面部５３と対向するルーフフレーム結合下面部５４とを有する。クロスルーフフレーム３４の車幅方向の外端部は、ルーフフレーム結合上面部５３とルーフフレーム結合下面部５４との間（Ｕ状断面の内側）に挿入されてルーフフレーム結合部５０に結合される。
【００４３】
サイドレール連結部５１は、ルーフフレーム結合上面部５３の車幅方向の外縁部（ルーフフレーム結合側面部５２の上縁部）から車幅方向外側へ延びる板状である。サイドレール連結部５１の車幅方向の外縁部には外縁係合部５５が形成され、内端部には外縁嵌合部５６が形成されている。
【００４４】
外縁係合部５５は、車幅方向外側に突出する回転軸突起５７と、回転軸突起５７の基端後方から下方へ突出し車幅方向外側に曲折して回転軸突起５７と対向して延びる押圧突起５８と、回転軸突起５７と押圧突起５８との間に形成される係合凹部５９とを有する。回転軸突起５７の先端断面は円弧状であり、係合凹部５９は、レールアッパサイド４０の係合突起８７の湾曲形状に合わせた湾曲形状を有する。
【００４５】
外縁嵌合部５６は、下方へ延びる板形状であり、外縁嵌合部５６の車幅方向内側の側面には車幅方向外側に突出する嵌合突起６０が形成されている。外縁嵌合部５６は、サイドレール連結部５１の垂直方向に対し基端側から先端側に向かって車幅方向外側に傾斜する。
【００４６】
ルーフフレーム結合下面部５４のうちクロスフレーム３４が配置されない領域は、天井面体１７の下面（クロスフレーム３４の下面）に沿って車幅方向内側へ延びる外縁締結部６１を構成する。外縁締結部６１（ルーフフレーム結合下面部５４）は、後述する嵌合状態（図８に示す状態）でレールアッパサイド４０の上縁締結部８３よりも車幅方向内側へ延びる先端部６２を有する。
【００４７】
上縁係合部８５と外縁係合部５５とは、側方面体１８と天井面体１７とが鈍角に交叉する非嵌合位置（図９（ｂ）に示す）で係脱可能であり、レールアッパサイド４０の係合突起８７がルーフレールアウタ３１の係合凹部５９に車幅方向外側から挿入されることによって係合状態となる。係合突起８７の先端は、側方面体１８と天井面体１７とが非嵌合位置よりも鈍角に交叉する位置で回転軸突起５７を支持溝８８に上方から載置し、支持溝８８上の回転軸突起５７を略中心として非嵌合位置へ側方面体１８と天井面体１７とを相対回転させることによって係合凹部５９に挿入される。側方面体１８と天井面体１７とを非嵌合位置から側方面体１８と天井面体１７とが略直角に交叉する嵌合位置まで回転軸突起５７を中心としてさらに相対回転させると、係合突起８７が係合凹部５９の奥部に向かってさらに挿入される。このように、上縁係合部８５と外縁係合部５５とは、非嵌合位置での係合状態を維持したまま、嵌合位置と非嵌合位置との間で、支持溝８８上の回転軸突起５７（上縁係合部８５及び外縁係合部５５）を略中心とした側方面体１８と天井面体１７との相対回転を許容する。また、嵌合位置では、ルーフフレーム結合側面部５２の下部とレール連結側面部８２の下部とが当接することによって、側方面体１８と天井面体１７とが略直角に交叉する。
【００４８】
非嵌合位置から嵌合位置への側方面体１８と天井面体１７との相対回転に伴い、押圧突起５８が収容凹部８９に進入する。ガスケット９３は、収容凹部８９に進入する押圧突起５８に押圧されて弾性変形して収容凹部８９を密閉する。
【００４９】
嵌合突起６０は、非嵌合位置から嵌合位置への側方面体１８と天井面体１７との相対回転に応じて、突起当接面９０に当接し、突起当接面９０上を摺動する。突起当接面９０上の嵌合突起６０の摺動に伴って、上縁嵌合部８６及び外縁嵌合部５６の少なくとも一方が撓み変形し、嵌合位置で嵌合突起６０が嵌合凹部９１に係合して上縁嵌合部８６と外縁嵌合部５６とが嵌合する。
【００５０】
上縁嵌合部８６と外縁嵌合部５６とが嵌合する嵌合状態において、上縁締結部８３は、外縁締結部６１の下側に重なって車幅方向内側へ延び、上縁締結部８３と外縁締結部６１とが締結固定される。また、変形したガスケット９３の弾性力は、嵌合した上縁嵌合部８６と外縁嵌合部５６との相対移動を抑制する。
【００５１】
次に、天井面体１７（ルーフレールアウタ３１）と側方面体１８（レールアッパサイド４０）とを結合する工程について説明する。
【００５２】
まず、図９（ａ）に示すように、ルーフレールアウタ３１の外縁締結部６１の先端部６２に内装パネル３６の車幅方向の外縁部を重ねて、天井面体１７の下面（クロスルーフフレーム３４の下面）に内装パネル３６を締結固定する。
【００５３】
次に、車幅方向内側が上方を向くように側方面体１８を作業台に載せ、図９（ｂ）に示すように側方面体１８と天井面体１７とが非嵌合位置よりも鈍角に交叉する位置でルーフレールアウタ３１の回転軸突起５７をレールアッパサイド４０の支持溝８８に上方から載置し、支持溝８８上の回転軸突起５７を略中心として非嵌合位置から嵌合位置へ天井面体１７を回転させる（図９（ｃ）参照）。天井面体１７が非嵌合位置から嵌合位置まで回転する間、ルーフレールアウタ３１の係合凹部５９にレールアッパサイド４０の係合突起８７が挿入され（図１０（ａ）参照）、レールアッパサイド４０の上縁係合部８５とルーフレールアウタ３１の外縁係合部５５とが係合状態を維持したまま天井面体１７の回転を許容するので、天井面体１７を容易に且つ確実に嵌合位置へ回転させることができる。
【００５４】
非嵌合位置から嵌合位置への天井面体１７の回転に応じて、ルーフレールアウタ３１の嵌合突起６０は、図１０（ｂ）に示すように、レールアッパサイド４０の突起当接面９０に当接し、突起当接面９０上を摺動する。突起当接面９０上の嵌合突起６０の摺動に伴って、レールアッパサイド４０の上縁嵌合部８６及びルーフレールアウタ３１の外縁嵌合部５６の少なくとも一方が撓み変形し、嵌合位置で嵌合突起６０がレールアッパサイド４０の嵌合凹部９１に係合して上縁嵌合部８６と外縁嵌合部５６とが嵌合する（図１０（ｃ）参照）。
【００５５】
最後に、上下に重なる上縁締結部８３と外縁締結部６１とをボルト９４及びナット９５によって締結固定する。
【００５６】
本実施形態によれば、側方面体１８と天井面体１７とを結合する場合、作業者は、非嵌合位置で上縁係合部８５と外縁係合部５５とを係合し、側方面体１８と天井面体１７とを嵌合位置へ相対回転させることによって上縁嵌合部８６と外縁嵌合部５６とを嵌合させた後、上縁締結部８３と外縁締結部６１とを締結固定する。このとき、上縁嵌合部８６と外縁嵌合部５６とは、少なくとも一方が僅かに撓み変形して嵌合するので、部材の寸法誤差や組み付け誤差等が存在する場合であっても、嵌合状態が確実に安定し、上縁締結部８３と外縁締結部６１とを締結固定した後に嵌合部分にがたつきが発生し難く、嵌合部分での隙間の発生を抑制することができる。このため、嵌合部分（上縁嵌合部８６と外縁嵌合部５６との間）から荷室２１内への浸水を防ぐための防水処理を簡素化又は省略することができる。
【００５７】
作業者は、非嵌合位置で上縁係合部８５と外縁係合部５５とを係合し、側方面体１８と天井面体１７とを嵌合位置へ相対回転させるだけで上縁嵌合部８６と外縁嵌合部５６とを嵌合させることができる。また、上縁嵌合部８６と外縁嵌合部５６とは、突起当接面９０上の嵌合突起６０の摺動に伴って上縁嵌合部８６及び外縁嵌合部５６の少なくとも一方が撓み変形した状態で、嵌合突起６０が嵌合凹部９１に係合することによって嵌合するので、作業者は嵌合完了時に適度な節度感を得ることができる。このため、簡単な作業によって確実に上縁嵌合部８６と外縁嵌合部５６とを嵌合させて、側方面体１８と天井面体１７とを結合することができる。
【００５８】
嵌合状態では、ガスケット９３が弾性変形して収容凹部８９を密閉するので、上縁係合部８５と外縁係合部５５との係合部分から荷室２１内への浸水を確実に防止することができる。また、変形したガスケット９３の弾性力は、嵌合した上縁嵌合部８６と外縁嵌合部５６との相対移動を抑制するので、嵌合状態がさらに安定する。
【００５９】
天井面体１７の下面に板材等の内装パネル３６を張り付ける場合、作業者は、内装パネル３６の車幅方向の外縁部を外縁締結部６１の先端部６２に下方から重ねて天井面体１７に内装パネル３６を張り付ける。外縁締結部６１の先端部６２は、側方面体１８と天井面体１７とを結合した後も外部に露出するので、結合の前後の何れにおいても天井面体１７に内装パネル３６を張り付けることができる。また、結合前の天井面体１７に内装パネル３６を張り付けることにより、結合後に内装パネル３６を張り付ける場合に比べて容易に張り付け作業を行うことができる。
【００６０】
なお、上述の実施形態は本発明の一例であり、本発明は上述の実施形態に限定されることはなく、本発明に係る技術的思想を逸脱しない範囲であれば、上述の実施形態以外であっても種々の変更が可能であることは勿論である。
【００６１】
例えば、本実施形態では、ウイング屋根式の荷台１を例示して説明したが、本発明は、ウイング式屋根を有さない箱形荷台やトレーラやセミトレーラの荷台に対しても適用可能である。
【００６２】
ルーフレールアウタ３１及びレールアッパサイド４０をアルミ合金製としたが、鋼等の他の金属製としてもよい。
【００６３】
ルーフレールアウタ３１の外縁嵌合部５６に嵌合突起６０を設け、レールアッパサイド４０の上縁嵌合部８６に突起当接面９０と嵌合凹部９１とを設けたが、ルーフレールアウタ３１の外縁嵌合部５６に突起当接面と嵌合凹部とを設け、レールアッパサイド４０の上縁嵌合部８６に嵌合突起を設けてもよい。
【００６４】
また、ルーフレールアウタ３１の外縁係合部５５に押圧突起５８を設け、レールアッパサイド４０の上縁係合部８５に収容凹部８９を設けたが、ルーフレールアウタ３１の外縁係合部に収容凹部を設け、レールアッパサイド４０の上縁係合部８５に押圧突起を設けてもよい。
【符号の説明】
【００６５】
１：荷台
３：前壁
４：後壁
５：センターフレーム
６：ウイング
７：煽り
１０：フロントアッパクロスフレーム
１６：開閉用油圧シリンダ
１７：天井面体
１８：側方面体
２１：荷室
２３：キャンバスシート
２４：両面接着テープ
２５：防水テープ
２６：ハーネス
３０：ルーフレールインナ（天井内縁部材）
３１：ルーフレールアウタ（天井外縁部材）
３２：ルーフレールフロント（天井端縁部材）
３３：ルーフレールリヤ（天井端縁部材）
３４：クロスルーフフレーム
３５：ルーフシート（天井パネル）
３６：内装パネル
３７：ハーネス収容部
３８：パネル支持片
４０：レールアッパサイド（側面上縁部材）
４１：レールロアサイド（側面下縁部材）
４２：ポストサイドフロント（側面端縁部材）
４３：ポストサイドリヤ（側面端縁部材）
４４：クロスサイドフレーム
４５：サイドシート（側面パネル）
５０：ルーフフレーム結合部
５１：サイドレール連結部
５２：ルーフフレーム結合側面部
５３：ルーフフレーム結合上面部
５４：ルーフフレーム結合下面部
５５：外縁係合部
５６；外縁嵌合部
５７：回転軸突起
５８：押圧突起
５９：係合凹部
６０：嵌合突起
６１：外縁締結部
６２：先端部６２
７０：サイドフレーム結合部
７１：コーナ形成部
７２：ルーフレール連結部
７３：サイドフレーム結合上面部
７４：サイドフレーム結合外面部
７５：サイドフレーム結合内面部
７６：コーナ形成外面部
７７：コーナ形成内面部
７８：隔壁
７９，８４：閉断面
８０：レール連結上面部
８１：レール連結下面部
８２：レール連結側面部
８３：上縁締結部
８５：上縁係合部
８６：上縁嵌合部
８７：係合突起
８８：支持溝
８９：収容凹部
９０：突起当接面
９１：嵌合凹部
９２：円弧状凹部
９３：ガスケット（シール部材）
９４：ボルト
９５：ナット
【図１】
0006008429.tif 000002
【図２】
0006008429.tif 000003
【図３】
0006008429.tif 000004
【図４】
0006008429.tif 000005
【図５】
0006008429.tif 000006
【図６】
0006008429.tif 000007
【図７】
0006008429.tif 000008
【図８】
0006008429.tif 000009
【図９】
0006008429.tif 000010
【図１０】
0006008429.tif 000011